(57)【特許請求の範囲】
【請求項１】
竪管をゴムにより横方向に建物に支持する支持機構において、前記ゴムは、防振用のばね定数の小さいゴムと、大変形防止用のばね定数の大きいゴムを別体に構成し、前記ばね定数の小さいゴムは竪管の外周面に接触させて支持すると共に、前記ばね定数の大きいゴムは竪管の外周面から隙間を置いて支持したことを特徴とする建物における竪管の横方向支持機構。
【請求項２】
ばね定数の小さいゴムとばね定数の大きいゴムは、建物の同一階に支持することを特徴とする請求項１に記載の建物における竪管の横方向支持機構。
【請求項３】
ばね定数の小さいゴムとばね定数の大きいゴムは、建物の異なった階に支持することを特徴とする請求項１に記載の建物における竪管の横方向支持機構。
【請求項４】
ばね定数の小さいゴムとばね定数の大きいゴムは、一部を建物の同一階に支持すると共に、他の一部を異なった階に支持することを特徴とする請求項１に記載の建物における竪管の横方向支持機構。
【発明の詳細な説明】
【技術分野】
【０００１】
本発明は、建物において、地域冷暖房の冷却水竪管等の竪管を、横方向支持する機構に関するものである。
【背景技術】
【０００２】
地域冷暖房（ＤＨＣ）の冷却水竪管等の竪管は、座屈防止のために横方向支持する際、竪管に接続されたポンプ等の機器の振動が建物に伝搬することを低減するために、外周面にゴム等の防振材を接触させて横方向支持している。
【０００３】
その際、高い防振性能を確保するためには、軟らかい防振材、即ち、ばね定数の小さい防振材を選定する必要がある。
【０００４】
一方、竪管の横方向の支持は、風による建物の揺れや、地震時の建物の揺れに対して、竪管の相対変位を抑えるものであるから、軟らか過ぎる防振材を用いると、竪管が大変形して破壊したり、竪管が建物と衝突して破壊したりする危険性があり、従って、防振材をむやみに軟らかくすることはできない。
【０００５】
そこで従来は、高い振動伝搬低減効果をあきらめて、ある程度硬い防振材を用いて竪管を横方向支持する方法か、または図４、図５に例示するように、硬いゴムの先端に軟らかいゴムを直列的に結合して一体に構成した防振材を用いて竪管を横方向支持する方法を採用していた。後者の方法では、軟らかいゴム、即ちばね定数の小さいゴムによる常時の振動伝搬低減効果と、硬いゴム、即ちばね定数の大きいゴムによる地震時の大変形に対する耐震性能の両者を満足させることを図るものである。
【０００６】
ここで、図４、図５の構成の概略を説明すると、まず図４において、符号ａは防振材を示すもので、この防振材ａは、取付プレートｂに硬いゴムｃが取り付けられており、そして硬いゴムｃに軟らかいゴムｄが結合されている。そして軟らかいゴムｄの部分には中空部分ｅが設けられている。
【０００７】
また図５において、符号ｆは竪管、ｇは架台、ｈは調整アームｉを介して架台ｇに保持した枠部材であり、この枠部材ｈの内側に複数、この場合には角度９０°毎に配置した４つの防振材ａが取り付けられている。符号ｊは調整ボルトである。
【０００８】
また前者の方法に対応する従来技術としては、例えば特許文献１に示されるものがあり、この特許文献１の横方向支持機構は、竪管から、その支持枠に伝わる振動が定着船型枠に伝搬するのを防止するために複数の横方向防振機構を設けており、各横方向防振機構は上記定着船型枠の前、後板の長手方向に離間して配置され、上部側を上方に突出した状態で固着された縦長矩形状の平板鋼板からなる連結片と、この連結片から内向きに突設された上、下一対の支承片と、これらの支承片の内面に取着され、上記支持枠の連接板を挟持する一対の横揺れ防振ゴムとから構成されているもので、防振ゴムとして、硬いものと軟らかいものの両者を使用することは想定していない。
【特許文献１】特開２００３−２９４１７０号公報
【発明の開示】
【発明が解決しようとする課題】
【０００９】
上述した従来技術のうち、硬い防振材を用いて竪管を横方向支持する方法では、高い振動伝搬低減効果が得られず、竪管に接続されているポンプ等の機器からの振動が建物に伝搬するので、建物内で振動や、振動に起因する異音が発生して居住性能を低下させていた。
【００１０】
また硬いゴムと軟らかいゴムを直列的に結合した構成の防振材を用いて竪管を横方向支持する方法では、地震時に建物が大変形すると、硬いゴムによって竪管が支持される際に、軟らかいゴムに許容荷重を超える力が作用して軟らかいゴムが破壊してしまうため、このような事態が発生した後には、防振材の取り替えが必要であった。
本発明は、このような課題を解決することを目的とするものである。
【課題を解決するための手段】
【００１１】
上述した課題を解決するために、本発明では、竪管をゴムにより横方向に建物に支持する支持機構において、前記ゴムは、防振用のばね定数の小さいゴムと、大変形防止用のばね定数の大きいゴムを別体に構成し、前記ばね定数の小さいゴムは竪管の外周面に接触させて支持すると共に、前記ばね定数の大きいゴムは竪管の外周面から隙間を置いて支持した建物における竪管の横方向支持機構を提案する。
【００１２】
また本発明では、上記の構成において、ばね定数の小さいゴムとばね定数の大きいゴムは、建物の同一階に支持することを提案する。
【００１３】
また本発明では、上記の構成において、ばね定数の小さいゴムとばね定数の大きいゴムは、建物の異なった階に支持することを提案する。
【００１４】
さらに本発明では、上記の構成において、ばね定数の小さいゴムとばね定数の大きいゴムは、一部を建物の同一階に支持すると共に、他の一部を異なった階に支持することを提案する。
【発明の効果】
【００１５】
本発明によれぱ、通常時には竪管は、その外周面に接触しているばね定数の小さいゴムにより横方向支持されるので、荷重による座屈が防止されている。一方、ばね定数の大きなゴムは竪管に接触していないので、竪管に接続されたポンプ等の機器の振動が建物に伝搬することが防止されている。
【００１６】
地震時に竪管が建物に対して横方向に相対変位すると、ばね定数の大きいゴムが竪管の外周面に接触するようになるので、竪管はばね定数の大きいゴムによって横方向の変位が抑制され、大変形が防止される。
【００１７】
このように、地震時にばね定数の大きいゴムが竪管の外周面に接触するようになった時点では、ばね定数の小さいゴムには通常時よりも大きな荷重が加わるが、ばね定数の小さいゴムと、ばね定数の大きいゴムは、別体に構成しているので、ばね定数の大きいゴムが竪管の外周面に接触して横方向支持している際に、ばね定数の小さいゴムに加わる荷重が許容荷重よりも十分に小さくなるように配置することは容易である。
【００１８】
従って地震時にばね定数の大きいゴムが竪管を支持するような状態となった場合にもばね定数の小さいゴムに許容荷重を超える荷重が加わらないので破壊することがなく、従来のように取り替える必要がなくなる。
【００１９】
ばね定数の大きいゴムとばね定数の小さいゴムは、建物の同一階に支持して竪管を支持することもできるし、建物の異なった階に支持して竪管を支持することもできるし、これらを組み合わせて、一部を建物の同一階に支持すると共に、他の一部を異なった階に支持することもできる。
【発明を実施するための最良の形態】
【００２０】
次に本発明の最良の実施の形態を添付図面を参照して説明する。
まず、図１は本発明を適用した建物における竪管の横方向支持機構の第１の実施の形態を示す模式的縦断面図である。
符号１はＤＨＣ配管等の竪管であり、符号２は建物の各階に構成した竪管支持部材を示すもので、添字ａ，ｂ，ｃ，…ｎは、建物の各階を示すものである。これらの竪管支持部材２の夫々にゴム支持部材３を設けて、これらのゴム支持部材３から竪管１の外周面方向にゴム４を突設支持する構成としている。
【００２１】
ここで竪管支持部材２、ゴム支持部材３は、例えば上述した図５の支持機構中の、夫々架台ｇ、枠部材ｈと同様な構成とする他、適宜の構成を適用することができる。
【００２２】
上述したゴム４は、ばね定数の小さいゴム４ａとばね定数の大きいゴム４ｂとを別体に構成しており、ばね定数の小さいゴム４ａは、その先端を竪管１の外周面に接触させてゴム支持部材３により突設支持し、また、ばね定数の大きいゴム４ｂは、その先端を竪管１の外周面から隙間５を置くようにゴム支持部材３により突設支持している。即ち、図１においては、建物のａ階とｎ階に対応する竪管支持部材２ａ、２ｎでは、ゴム支持部材３によりばね定数の小さいゴム４ａの先端を竪管１の外周面に接触させて支持しており、建物のｂ階とｃ階に対応する竪管支持部材２ｂ、２ｃでは、ゴム支持部材３によりばね定数の大きいゴム４ｂの先端は竪管１の外周面から隙間５を置いて支持している。
【００２３】
このように第１の実施の形態では、ばね定数の小さいゴム４ａとばね定数の大きいゴム４ｂを建物の異なった階ａ，ｂ，ｃ，…ｎに支持して竪管１を支持する構成により、ばね定数の小さいゴム４ａによる通常時の防振と座屈防止を図ると共に、ばね定数の大きいゴム４ｂによる地震時の大変形の防止を図っている。
【００２４】
この場合、ばね定数の小さいゴム４ａとばね定数の大きいゴム４ｂにより支持する階の数は適宜に設定することができ、例えば、これらを各階に交互に支持したり、いずれかのゴム４ａ，４ｂにより支持する階数を多くしたりすることができる。例えば、ばね定数の小さいゴム４ａにより支持する上下の階の間に、ばね定数の大きいゴム４ｂにより支持する複数の階、例えば５階を配置することにより、大変形の防止に対応したばね定数の大きいゴム４ｂを支持する階数を多くすることができる。
【００２５】
次に図２は本発明を適用した建物における竪管の横方向支持機構の第２の実施の形態を示す模式的縦断面図であり、この第２の実施の形態では、ばね定数の小さいゴム４ａとばね定数の大きいゴム４ｂは、建物の同一階において、上下に隣接して支持している。
【００２６】
一方、図３は本発明を適用した建物における竪管の横方向支持機構の第３の実施の形態を示す模式的横断面図であり、この第３の実施の形態では、ばね定数の小さいゴム４ａとばね定数の大きいゴム４ｂは、第２の実施の形態と同様に、建物の同一階に支持しており、この場合、ばね定数の小さいゴム４ａとばね定数の大きいゴム４ｂは、竪管１の外周面に沿って横方向にずらした位置において支持するように支持している。
【００２７】
また図示は省略しているが、本発明では、他の実施の形態として、ばね定数の小さいゴム４ａとばね定数の大きいゴム４ｂは、一部を建物の同一階に支持すると共に、他の一部を異なった階に支持することもできる。
【実施例１】
【００２８】
本発明に係るゴムの具体例は以下の通りである。
ばね定数の小さいゴム：ばね定数＝20kgf/mm
ばね定数の大きいゴム：ばね定数＝1768kgf/mm    隙間：5mm
【００２９】
上述したゴムの具体例の他、ばね定数の小さいゴム４ａ及びばね定数の大きいゴム４ｂの夫々のばね定数は、防振機能と大変形防止機能を勘案して適宜に設定することができる。
【産業上の利用可能性】
【００３０】
本発明は以上の通りであるので、地域冷暖房の冷却水竪管等の各種の竪管を、高層建築物、その他の建物に横方向支持する機構として最適である。
【図面の簡単な説明】
【００３１】
【図１】本発明の第１の実施の形態を示す模式的縦断面図である。
【図２】本発明の第２の実施の形態を示す模式的縦断面図である。
【図３】本発明の第３の実施の形態を示す模式的横断面図である。
【図４】従来の防振材（防振ゴム）の一例を示す斜視図である。
【図５】図４の防振材を用いた横方向支持機構の従来例を示す斜視図である。
【符号の説明】
【００３２】
１              竪管
２ａ，２ｂ，２ｃ，…２ｎ  竪管支持部材
３              ゴム支持部材
４              ゴム
４ａ          ばね定数の小さいゴム
４ｂ          ばね定数の大きいゴム
５            隙間
【図１】
0004880553.tif 000002
【図２】
0004880553.tif 000003
【図３】
0004880553.tif 000004
【図４】
0004880553.tif 000005
【図５】
0004880553.tif 000006